(57)【要約】【課題】  送電線や保護継電装置の増設に伴うスイッチの配設スペースや配線工事を抑制する。【解決手段】  各送電線に対応して設けられ、対象の送電線を選択する複数の送電線スイッチ２１〜２ｎと、各保護継電装置に対応して設けられ、対象の保護継電装置とその動作を選択する複数の機能スイッチ３１〜３４と、送電線スイッチ２１〜２ｎで選択された送電線に対する機能スイッチ３１〜３４で選択された保護継電装置の動作を示すランプ４１〜４４と、を備える。【選択図】  図１
2012010548.tif 000002
【特許請求の範囲】
【請求項１】
複数の送電線のそれぞれに対して、複数の保護継電装置の動作を操作するリレー操作盤であって、
各送電線に対応して設けられ、対象の送電線を選択する複数の送電線スイッチと、
各保護継電装置に対応して設けられ、対象の保護継電装置とその動作を選択する複数のリレー動作スイッチと、
前記送電線スイッチで選択された送電線に対する前記リレー動作スイッチで選択された保護継電装置の動作を示す表示手段と、
を備えることを特徴とするリレー操作盤。
【請求項２】
前記表示手段は、前記各送電線スイッチに組み込まれ、選択された送電線スイッチに前記選択された保護継電装置の動作を示す、ことを特徴とする請求項１に記載のリレー操作盤。
【発明の詳細な説明】
【技術分野】
【０００１】
この発明は、送電線保護継電装置の動作を操作するリレー操作盤に関する。
【背景技術】
【０００２】
送電線を保護するために、複数の保護継電装置（リレー）が各送電線に対して配設され、各送電線に対する各保護継電装置の動作は、従来、図６に示すようなリレー操作盤１００によって操作・制御されるようになっている。このリレー操作盤１００には、第１〜第６の回線（送電線）ごとに、各保護継電装置を操作するスイッチ１０１〜１０４が設けられている。これらのスイッチ１０１〜１０４は、押しボタン式で、保護継電装置の種類とその動作を選択するものである。すなわち、「４３ＡＲＥ不使用」スイッチ１０１は、４３ＡＲＥの不使用を選択するスイッチ、「４３ＡＲＥ使用」スイッチ１０２は、４３ＡＲＥの使用を選択するスイッチである。同様に、「４３Ｓ送電」スイッチ１０３は、４３Ｓの送電を選択するスイッチ、「４３Ｓ受電」スイッチ１０４は、４３Ｓの受電を選択するスイッチである。
【０００３】
そして、例えば、第１の回線に対して４３ＡＲＥを不使用にする場合には、「４３ＡＲＥ不使用」スイッチ１０１を押下することで、第１の回線に対して４３ＡＲＥが使用されない状態となる。さらに、この押下によって、「４３ＡＲＥ不使用」スイッチ１０１に組み込まれたランプが点灯するようになっている。
【０００４】
また、操作盤に関する技術として、押しボタン式の操作スイッチパネルに誤操作・誤入力を検出する機能を備えた制御盤の操作パネルが知られている（例えば、特許文献１参照。）。
【先行技術文献】
【特許文献】
【０００５】
【特許文献１】特開平０６−７８４２３号公報
【発明の概要】
【発明が解決しようとする課題】
【０００６】
ところで、電力需要の状況変化や電力系統の変更などにより、回線を増やしたり、保護継電装置を増設したりする必要が生じる場合がある。このような場合、上記のような従来のリレー操作盤１００では、第１〜第６の回線ごとにスイッチ１０１〜１０４が設けられているため、大きなスペースを要し、かつ、大規模な配線工事が必要となる。すなわち、回線を増やす場合、新たな回線に対してスイッチ１０１〜１０４を設けなければならず、リレー操作盤１００に大きなスペースを要するとともに、スイッチ１０１〜１０４に対する配線工事を要する。同様に、保護継電装置を増設する場合、すべての回線に対して新たな保護継電装置のスイッチを設けなければならず、リレー操作盤１００に大きなスペースを要するとともに、すべての回線に対する配線工事を要する。
【０００７】
さらに、従来のリレー操作盤１００では、第１〜第６の回線ごとにスイッチ１０１〜１０４が設けられているため、回線数が多いとスイッチ１０１〜１０４の数も多くなり、しかも、第１〜第６の回線ごとにスイッチ１０１〜１０４が分かれているため、視認性が悪い。このため、確認に手間を取ったり、誤認したりするおそれがある。
【０００８】
また、特許文献１の技術では、スイッチパネルの誤操作・誤入力を防止することは可能であるが、回線や保護継電装置の増設に伴うスイッチの配設スペースや配線工事を抑制することはできない。
【０００９】
そこで本発明は、送電線や保護継電装置の増設に伴うスイッチの配設スペースや配線工事を抑制することが可能なリレー操作盤を提供することを目的とする。
【課題を解決するための手段】
【００１０】
上記目的を達成するために請求項１に記載の発明は、複数の送電線のそれぞれに対して、複数の保護継電装置の動作を操作するリレー操作盤であって、各送電線に対応して設けられ、対象の送電線を選択する複数の送電線スイッチと、各保護継電装置に対応して設けられ、対象の保護継電装置とその動作を選択する複数のリレー動作スイッチと、前記送電線スイッチで選択された送電線に対する前記リレー動作スイッチで選択された保護継電装置の動作を示す表示手段と、を備えることを特徴とするリレー操作盤である。
【００１１】
この発明によれば、対象の送電線が送電線スイッチで選択され、対象の保護継電装置の動作がリレー動作スイッチで選択されると、選択された送電線に対する選択された保護継電装置の動作が、表示手段に表示される。
【００１２】
請求項２に記載の発明によれば、請求項１に記載のリレー操作盤において、前記表示手段は、前記各送電線スイッチに組み込まれ、選択された送電線スイッチに前記選択された保護継電装置の動作を示す、ことを特徴とする。
【００１３】
この発明によれば、対象の送電線が送電線スイッチで選択され、対象の保護継電装置の動作がリレー動作スイッチで選択されると、選択された送電線スイッチに選択された保護継電装置の動作が表示される。
【発明の効果】
【００１４】
請求項１に記載の発明によれば、各送電線に対応した送電線スイッチと、各保護継電装置に対応したリレー動作スイッチとが設けられているだけである。このため、送電線を増やす場合には、新たな送電線スイッチを追加すればよく、同様に、保護継電装置を増設する場合にも、新たなリレー動作スイッチを追加すればよい。このため、送電線や保護継電装置を増設する場合でも、スイッチの配設スペースや配線工事を抑制・軽減することが可能となる。さらに、スイッチ数が減り、しかもスイッチが省スペース内に配設されるため、視認性が向上し、より迅速かつ適正・正確な操作が可能となる。
【００１５】
請求項２に記載の発明によれば、選択された送電線スイッチに選択された保護継電装置の動作が表示されるため、対象の送電線に対する保護継電装置の動作を迅速かつ確実に視認することが可能となる。
【図面の簡単な説明】
【００１６】
【図１】この発明の実施の形態に係わるリレー操作盤の正面図である。
【図２】図１のリレー操作盤が設けられた自動復旧装置の正面図である。
【図３】図１のリレー操作盤の概略論理回路図である。
【図４】図１のリレー操作盤において、機能スイッチを追加した場合の正面図である。
【図５】図１のリレー操作盤において、機能スイッチを追加した場合の概略論理回路図である。
【図６】従来のリレー操作盤の正面図である。
【発明を実施するための形態】
【００１７】
次に、この発明の実施の形態について、図面を用いて詳しく説明する。
【００１８】
図１は、この実施の形態に係わるリレー操作盤１を示す正面図である。このリレー操作盤１は、複数の線路（送電線）のそれぞれに対して、複数の保護継電装置の動作を操作する操作盤であり、図２に示すように、自動復旧装置１０に設けられている。このリレー操作盤１は、主として、複数の送電線スイッチ２１〜２ｎと、各種機能スイッチ（リレー動作スイッチ）３１〜３４とを備えている。
【００１９】
送電線スイッチ２１〜２ｎは、各線路に対応して設けられ、対象の線路を選択するスイッチである。これらの送電線スイッチ２１〜２ｎは、同等の構成であるため、第１の送電線スイッチ２１を例にしてその構成を説明する。
【００２０】
この送電線スイッチ２１は、押しボタン式で、表面部（押下部）が透明な部材から構成され、４つの領域に区画されている。すなわち、表面部に「使用」と標記された４３ＡＲＥ使用部２１１と、「不使用」と標記された４３ＡＲＥ不使用部２１２と、「送電」と標記された４３Ｓ送電部２１３と、「受電」と標記された４３Ｓ受電部２１４とに区画されている。また、各区画２１１〜２１４に対向して、ランプ（表示手段）４１〜４４が配設され（組み込まれ）、後述するようにして、使用ランプ４１は赤色、不使用ランプ４２は緑色、送電ランプ４３と受電ランプ４４は白色に点灯するようになっている。このような送電線スイッチ２１が、各線路に対して１つずつ設けられている。
【００２１】
各種機能スイッチ３１〜３４は、各保護継電装置に対応して設けられ、対象の保護継電装置とその動作を選択するスイッチであり、押しボタン式となっている。具体的には、使用スイッチ３１は、表面部に「使用」と標記され、４３ＡＲＥの使用を選択するスイッチであり、不使用スイッチ３２は、表面部に「不使用」と標記され、４３ＡＲＥの不使用を選択するスイッチである。同様に、送電スイッチ３３は、表面部に「送電」と標記され、４３Ｓの送電を選択するスイッチであり、受電スイッチ３４は、表面部に「受電」と標記され、４３Ｓの受電を選択するスイッチである。
【００２２】
また、使用スイッチ３１がオンの状態で不使用スイッチ３２を押下すると、使用スイッチ３１がオフされ、不使用スイッチ３２がオンの状態で使用スイッチ３１を押下すると、不使用スイッチ３２がオフされるようになっている。同様に、送電スイッチ３３と受電スイッチ３４も、オンとオフが反転するようになっている。
【００２３】
このような送電線スイッチ２１〜２ｎ、機能スイッチ３１〜３４およびランプ４１〜４４は、図３に示すような論理回路（シーケンス回路）５０に組み込まれている。
【００２４】
すなわち、各送電線スイッチ２１〜２ｎと各機能スイッチ３１〜３４とが、各ＡＮＤ回路５１１、５１２…の入力側に接続され、ＡＮＤ回路５１の出力側には、送電線スイッチ２１〜２ｎと機能スイッチ３１〜３４との組み合わせに対応するランプ４１〜４４が接続されている。
【００２５】
具体的には、例えば、第１の送電線スイッチ２１と使用スイッチ３１とが、第１のＡＮＤ回路５１１の入力側に接続され、この第１のＡＮＤ回路５１１の出力側に、第１の送電線スイッチ２１の使用ランプ４１が接続されている。そして、第１の送電線スイッチ２１と使用スイッチ３１とがオンされることで、第１の送電線スイッチ２１の使用ランプ４１が点灯するようになっている。同様に、第１の送電線スイッチ２１と不使用スイッチ３２とが、第２のＡＮＤ回路５１２の入力側に接続され、この第２のＡＮＤ回路５１２の出力側に、第１の送電線スイッチ２１の不使用ランプ４２が接続されている。そして、第１の送電線スイッチ２１と不使用スイッチ３２とがオンされることで、第１の送電線スイッチ２１の不使用ランプ４２が点灯するようになっている。
【００２６】
このように、送電線スイッチ２１〜２ｎで線路が選択・オンされ、機能スイッチ３１〜３４で機能（保護継電装置の動作）が選択・オンされると、オンした送電線スイッチ２１〜２ｎの該当するランプ４１〜４４が点灯、表示するようになっている。また、図示していないが、送電線スイッチ２１〜２ｎと機能スイッチ３１〜３４とは、各保護継電装置や制御装置などに接続され、送電線スイッチ２１〜２ｎと機能スイッチ３１〜３４のスイッチ操作（オン・オフ）に応じて、各保護継電装置や制御装置などが制御されるようになっている。
【００２７】
次に、このような構成のリレー操作盤１の作用について説明する。
【００２８】
まず、特定の線路に対して、４３ＡＲＥを不使用にしたり、４３Ｓを送電状態にさせたりする場合、該当する送電線スイッチ２１〜２ｎと機能スイッチ３１〜３４とを押下する。例えば、第１の線路に対して４３ＡＲＥを不使用にする場合、第１の送電線スイッチ２１と不使用スイッチ３２とを押下する。これにより、上記のようにして、各保護継電装置や制御装置などが制御されて、第１の線路に対して４３ＡＲＥが不使用状態になるとともに、第１の送電線スイッチ２１の不使用ランプ４２が点灯する。また、この状態から、第１の線路に対して４３ＡＲＥを使用可能にするには、第１の送電線スイッチ２１と使用スイッチ３１とを押下する。これにより、第１の線路に対して４３ＡＲＥが使用可能になるとともに、第１の送電線スイッチ２１の不使用ランプ４２が消灯し、使用ランプ４１が点灯するものである。
【００２９】
一方、線路が増えたり、保護継電装置・機能が増設されたりした場合には、リレー操作盤１に新たな送電線スイッチや機能スイッチを追加すればよい。すなわち、線路が増えた場合には、新たな第（ｎ+１）の線路に対して、上記第１の送電線スイッチ２１と同様な第（ｎ+１）の送電線スイッチ２（ｎ+１）を追加すればよい。同様に、保護継電装置・機能が増設された場合には、上記使用スイッチ３１などと同様な機能スイッチ３５を追加すればよい。このとき、例えば、機能が増設され、○○スイッチ３５、３６を追加し場合、図４に示すように、○○スイッチ３５、３６をリレー操作盤１に追加する。また、図５に示すように、○○スイッチ３５と各送電線スイッチ２１〜２ｎとをＡＮＤ回路５１５…５ｎ５の入力側に接続し、ＡＮＤ回路５１５…５ｎ５の出力側に、○○ランプ４５を接続すればよい。
【００３０】
ここで、図４中○○ランプ４５、４６は、送電線スイッチ２１〜２ｎに新たに設けられ、○○スイッチ３５、３６のオン状態を示すランプである。なお、図５においては、○○スイッチ３５および○○ランプ４５のみを示し、○○スイッチ３６および○○ランプ４６については省略している。
【００３１】
以上のように、このリレー操作盤１によれば、各線路に対応した送電線スイッチ２１〜２ｎと、各保護継電装置・機能に対応した機能スイッチ３１〜３４とが設けられているだけである。このため、線路が増えたり、保護継電装置・機能が増設されても、リレー操作盤１に新たな送電線スイッチや機能スイッチを追加すればよい。このため、スイッチの配設スペースを抑制・削減して、リレー操作盤１のコンパクト化が可能となり、しかも、追加したスイッチに対する配線工事のみで済むため、大規模な配線工事が不要となる。
【００３２】
また、スイッチ数が減り、スイッチが省スペース内に配設され、しかも、送電線スイッチ２１〜２ｎと機能スイッチ３１〜３４とが分かれているため、操作性、視認性が向上する。さらには、選択された送電線スイッチ２１〜２ｎに、選択された機能が色分け表示されるため、視認性がより向上し、対象の線路に対してより迅速かつ適正・正確な操作が可能となる。
【００３３】
以上、この発明の実施の形態を詳述してきたが、具体的な構成は上記の実施の形態に限られるものではなく、この発明の要旨を逸脱しない範囲の設計の変更等があっても、この発明に含まれる。例えば、上記の実施の形態では、ランプ４１〜４４を各送電線スイッチ２１〜２ｎに組み込む構成としているが、ランプ４１〜４４を各送電線スイッチ２１〜２ｎに組み込まずに、別途配設する構成としてもよい。また、リレー操作盤１が自動復旧装置１０に設けられている場合について説明したが、遠隔監視制御装置などその他の装置に設けられてもよいことは勿論である。
【符号の説明】
【００３４】
１                        リレー操作盤
２１〜２ｎ                送電線スイッチ
３１〜３４                機能スイッチ（リレー動作スイッチ）
４１〜４４                ランプ（表示手段）
１０                      自動復旧装置
５０                      論理回路
【図１】
2012010548.tif 000003
【図２】
2012010548.tif 000004
【図３】
2012010548.tif 000005
【図４】
2012010548.tif 000006
【図５】
2012010548.tif 000007
【図６】
2012010548.tif 000008